(57)【要約】【課題】タイヤの回転時におけるバランスの安定性に悪い影響を与えず、交通の安全性を高める機能を具有する発光するホイールハブ用装飾蓋を提供する。【解決手段】底蓋と上蓋からなる発光するホイールハブ用装飾蓋の構造であって、主に底蓋３０と、発光体４２が接合されている電気回路板４０と、上蓋５０と、透明蓋６０とによって構成する。電池３７と、発光体４２が接合されている電気回路板４０とを有する底蓋３０をねじ穴座３３からねじ３６によってホイール２０のホイールハブ２２端面上に螺着し、次に透明蓋６０が設けられている上蓋５０の螺着孔５２と底蓋３０のねじ穴部３４とを組み合わせた後、ねじによって固定する。【選択図】図２
0003103344.tif 000002
【実用新案登録請求の範囲】
【請求項１】
底蓋と上蓋からなる発光するホイールハブ用装飾蓋の構造であって、
主に電池と、発光体、遠心力スイッチ、光センサーが接合されている電気回路板が設置されている前記底蓋によって構成されており、ねじによりホイールハブ端面に螺着されており、
前記上蓋における底蓋の電気回路板に対応する位置に設けられた嵌合孔の部分には透明蓋が嵌合接合されており、上蓋は底蓋と対応して螺着されており、それにより車輪の回転のバランスに悪い影響を与えることなく、タイヤの回転による遠心力によって電源が入り、装飾蓋を点滅発光させることを特徴とする発光するホイールハブ用装飾蓋の構造。
【請求項２】
前記底蓋内部には数組の電池ボックスが成形されており、電池を入れることができ、電池ボックスからずれた位置には間隔をあけてホイールハブと螺着するための数個のねじ穴座、および電気回路板を設置するための固定座が設けられており、前記底蓋と前記上蓋には、対応する位置にねじ穴部と螺着孔が設けられており、それにより組み合わせた後、ねじによって一体に組み立てられることを特徴とする請求項１に記載の発光するホイールハブ用装飾蓋の構造。
【考案の詳細な説明】
【技術分野】
【０００１】
本考案は、車両等の車輪に用いる主にホイールハブ用装飾蓋に係り、特に発光する構造を具有する設計のホイールハブ用装飾蓋の構造に関わる。
【背景技術】
【０００２】
従来より、車輪上における発光する装飾物や交通の安全性を高める発光構造としては、
【特許文献１】台湾実用新案公告第４８９７６２号公報、
【特許文献２】同５１６５２０号公報、
【特許文献３】同４０８７１３号公報等の考案があり、その主な構造は、発光構造をタイヤのバルブ上に設け、車が動く過程におけるタイヤの回転により、発光体を発光させることができ、外観上綺麗かつ、周囲の人間に注意を喚起させることができる。
【０００３】
図１は、従来公知構造によるホイールハブ用装飾蓋１０の構造であり、主に装飾蓋がねじによって螺着されており、大型トラックの車輪ホイールハブの装飾蓋となっている。
【０００４】
しかしながら、上述の各台湾実用新案の考案におけるタイヤの発光構造は、タイヤの回転によって発光体を発光させ、周囲の人間に注意を喚起させる効果を具有しているが、たとえタイヤのバルブ、あるいはホイールキャップの挿入孔に接合する方式であれ、タイヤのワイヤに螺着する方式であれ、すべて付加的な接合であり、タイヤの一部分に加重する構造になってしまい、タイヤの回転時におけるバランスの均衡や美観性に悪い影響を与えるという欠点が存在する。
【０００５】
図１に示すホイールハブ用装飾蓋１０は、単調な蓋体であり、外観上の装飾を行うだけのものであり、その味気無い外観は装飾効果から言っても魅力がなく、特に夜間においては、全く使い物にならない。
【０００６】
そこで、タイヤの回転時におけるバランスの均衡や美観性に悪い影響を与え、外観上の装飾を行うだけのものである味気無い公知構造のホイールハブ用装飾蓋を如何に改良するかが本考案の考案者が困難を極めた点であった。
【考案の開示】
【考案が解決しようとする課題】
【０００７】
前記公知構造の欠点を解決するために、本考案の主な目的は、タイヤの回転時におけるバランスの安定性に悪い影響を与えず、夜間に車を走らせる時においての、ホイールハブ用装飾蓋を点滅発光させるという視覚効果と、それと同時に交通の安全性を高める機能を具有する発光するホイールハブ用装飾蓋を提供することである。
【０００８】
また、本考案の他の目的は、ホイールハブ端面に螺着する設計にし、ホイール全体の美観性を高めることができる発光するホイールハブ用装飾蓋を提供することである。
【課題を解決するための手段】
【０００９】
前記課題を解決するために、本考案は、主に電池と、発光体、遠心力スイッチ、光センサーが接合されている電気回路板とが設置されている底蓋によって構成されており、ねじ穴座からホイールハブ端面を羅着することができ、電気回路板は数個の色の異なる発光体を接合することができ、リング形に似た形の上蓋が設けられており、上蓋上における底蓋の発光体に対応する位置には嵌合孔が設けられており、そこに透明蓋が嵌合接合され、底蓋の内側の円周と外側の円周部分にはＯリングを嵌入するためのリング溝が設けられており、底蓋と上蓋の対応する位置にはねじ穴部と螺着孔が設けられており、ねじによって一体に組み立てられており、以上の構造により発光体は透明蓋から外に向けて光を発するものである。
【００１０】
請求項１の考案は、底蓋と上蓋からなる発光するホイールハブ用装飾蓋の構造であって、
主に電池と、発光体、遠心力スイッチ、光センサーが接合されている電気回路板が設置されている前記底蓋によって構成されており、ねじによりホイールハブ端面に螺着されており、前記上蓋における底蓋の電気回路板に対応する位置に設けられた嵌合孔の部分には透明蓋が嵌合接合されており、上蓋は底蓋と対応して螺着されており、それにより車輪の回転のバランスに悪い影響を与えることなく、タイヤの回転による遠心力によって電源が入り、装飾蓋を点滅発光させることにより、周囲の人間に注意を喚起させる効果と、夜間においての交通の安全性を高める効果を具有し、さらにホイール全体の美観性を保つことができることを特徴とする発光するホイールハブ用装飾蓋の構造である。
【００１１】
請求項２の考案は、前記底蓋内部には数組の電池ボックスが成形されており、電池を入れることができ、電池ボックスからずれた位置には間隔をあけてホイールハブと螺着するための数個のねじ穴座、および電気回路板を設置するための固定座が設けられており、前記底蓋と前記上蓋には、対応する位置にねじ穴部と螺着孔が設けられており、それにより組み合わせた後、ねじによって一体に組み立てられることを特徴とする請求項１に記載の発光するホイールハブ用装飾蓋の構造である。
【考案の効果】
【００１２】
本考案によれば、従来公知構造におけるタイヤの回転時におけるバランスの安定性に悪い影響を与える欠点を取り除くことができ、それによりタイヤの回転のバランスを安定的なものにすることができ、また、装飾蓋を発光させることによりホイール全体の美観性を保つことができ、更に、装飾蓋を発光させることにより周囲の人間に注意を喚起させる効果と、夜間においての交通の安全性を高めることができるという効果が得られる。
【考案を実施するための最良の形態】
【００１３】
本考案の好適な実施例を、図に沿ってその構造内容を詳細に説明する。
【実施例１】
【００１４】
図２，３はそれぞれ本考案の実施例の立体分解図、および、断面図であり、主に底蓋３０と、発光体４２が接合されている電気回路板４０と、上蓋５０と、透明蓋６０とによって構成されており、前記底蓋３０は、円盤形を呈しており、内側の円周部分と外側のリング溝３１にはＯリング７０（円盤中央は密封状でもよい）が嵌入されており、内部には数組の電池ボックス３２が成形され数個の電池３７を入れることができ、間隔をあけて数個のねじ穴座３３、数個のねじ穴部３４、および発光体４２が接合された電気回路板４０を設置するための固定座３５が設けられている。
【００１５】
前記電気回路板４０は、固定ねじによって底蓋３０の固定座３５に固定されており、色の異なる発光体４２が接合されており、電線によって底蓋３０の各電池ボックス３２と接続されている。
【００１６】
前記上蓋５０は、底蓋３０と形の似た円盤形をしており、底蓋３０のねじ穴部３４に対応する位置には螺着孔５２が設けられており、ねじ５３によって一体に螺着されており、発光体４２が接合されている電気回路板４０の位置には嵌合孔５４が設けられており、そこに透明蓋６０が嵌合接合されている。
【００１７】
前記透明蓋６０は、透明材質を成形した上蓋５０の嵌合孔５４と形の似た蓋体である。
【００１８】
図３は本考案の断面図であり、底蓋３０の電池ボックス３２に電池３７を入れ、内、外リング溝にＯリング７０を嵌入し、透明蓋６０を上蓋５０の嵌合孔５４に嵌合接合し、上蓋５０の螺着孔５２と底蓋３０のねじ穴部３４を組み合わせ、ねじ５３によって固定すると、図４に示すような立体完成図となる。
【００１９】
図３，５に示すように、使用する際は、電池３７と、発光体４２が接合されている電気回路板４０とを有する底蓋３０をねじ穴座３３からねじ３６によってホイール２０のホイールハブ２２端面上に螺着し、次に透明蓋６０が設けられている上蓋５０の螺着孔５２と底蓋３０のねじ穴部３４とを組み合わせた後、ねじ５３によって固定し、図６に示すような状態に組み立てる。
【００２０】
遠心力スイッチによって、タイヤの回転による遠心力によって通電を制御することと、光センサーによって外の光線を感知し、光が弱い時（夜間、トンネル内など）にだけ発光体４２を発光させるように制御することができる。
【図面の簡単な説明】
【００２１】
【図１】公知構造によるホイールハブ用装飾蓋における立体図である。
【図２】本考案の実施例の立体分解図である。
【図３】本考案の実施例の断面図である。
【図４】本考案の実施例の立体完成図である。
【図５】本考案の実施例における取り付けの様子を示す立体図である。
【図６】本考案の実施例における取り付け完了後の様子を示す立体図である。
【符号の説明】
【００２２】
１０    装飾蓋
２０    ホイール
２２    ホイールハブ
３０    底蓋
３１    リング溝
３２    電池ボックス
３３    ねじ穴座
３４    ねじ穴部
３５    固定座
３６    ねじ
３７    電池
４０    電気回路板
４２    発光体
５０    上蓋
５２    螺着孔
５４    嵌合孔
６０    透明蓋
７０    Ｏリング  
【図１】
0003103344.tif 000003
【図２】
0003103344.tif 000004
【図３】
0003103344.tif 000005
【図４】
0003103344.tif 000006
【図５】
0003103344.tif 000007
【図６】
0003103344.tif 000008